(57)【特許請求の範囲】
【請求項１】
生体における胸部圧迫時の力と変位と速度の各情報を取得する情報取得手段と、
前記情報取得手段により取得された力と変位と速度の各情報に基づき、剛性係数と粘性係数を含む胸部の粘弾性情報を算出する算出手段と、
前記算出手段により算出された粘弾性情報を用いて心肺蘇生術に関する評価を行う評価手段と、
前記評価手段による評価を示す出力を行う出力手段と
を具備することを特徴とする心肺蘇生術用モニタリング装置。
【請求項２】
算出手段は、粘弾性情報を次の（式１）に示すVoigt （フォークト）モデルを用いて算出することを特徴とする請求項１に記載の心肺蘇生術用モニタリング装置。
ｆ＝Ｋｘ＋Ｂｘ´＋ｅ・・・（式１）
但し、ｆ：力、ｘ：変位、ｘ´：速度、Ｋ：剛性係数、Ｂ：粘性係数、ｅ：外乱
【請求項３】
算出手段は、ＫとＢを回帰計算により求めることを特徴とする請求項２に記載の心肺蘇生術用モニタリング装置。
【請求項４】
情報取得手段は力センサと加速度センサを具備し、力センサにより力の情報を取得し、加速度センサにより得られた加速度を１階積分して速度の情報を取得し、前記加速度を２階積分して変位の情報を求めることを特徴とする請求項１乃至３のいずれか１項に記載の心肺蘇生術用モニタリング装置。
【請求項５】
情報取得手段は力センサと速度センサを具備し、力センサにより力の情報を取得し、速度センサにより速度の情報を取得し、前記速度を１階積分して変位の情報を求めることを特徴とする請求項１乃至３のいずれか１項に記載の心肺蘇生術用モニタリング装置。
【請求項６】
情報取得手段は力センサと変位センサを具備し、力センサにより力の情報を取得し、変位センサにより変位の情報を取得し、前記変位を１階微分して速度の情報を求めることを特徴とする請求項１乃至３のいずれか１項に記載の心肺蘇生術用モニタリング装置。
【請求項７】
算出手段は、粘弾性情報として、剛性係数Ｋ、粘性係数Ｂ、時定数Ｂ／Ｋ、外乱ｅを算出し、
評価手段は、算出手段により算出された剛性係数Ｋ、粘性係数Ｂ、時定数Ｂ／Ｋ、外乱ｅの少なくとも１つを用いて心肺蘇生術の適否を評価することを特徴とする請求項１乃至６のいずれか１項に記載の心肺蘇生術用モニタリング装置。
【請求項８】
算出手段は、加速度の積分により変位あるいは速度を求める際に、外乱ｅが最小になるよう加速度センサにより得られる信号のオフセットを補正し、加速度センサにより得られる信号に含まれる不要なオフセットの積分によるドリフトを除去することを特徴とする請求項４に記載の心肺蘇生術用モニタリング装置。
【請求項９】
オフセットを補正する際に、力が極大あるいは極小となる近傍のデータを用いることにより、力と変位の相関が最大となり、外乱ｅが最小になるように処理することを特徴とする請求項８に記載の心肺蘇生術用モニタリング装置。
【請求項１０】
剛性係数Ｋ、粘性係数Ｂ、時定数Ｂ／Ｋの少なくとも一つが所定の判定基準を超えていたときに、力のみにより心肺蘇生術の適否を評価することを特徴とする請求項７に記載の心肺蘇生術用モニタリング装置。
【発明の詳細な説明】
【技術分野】
【０００１】
この発明は、心肺蘇生術を実行する際などに、救助者等が最適な心臓マッサージ手技を行うことが可能なようにモニタリングする心肺蘇生術用モニタリング装置に関するものである。
【背景技術】
【０００２】
従来、心肺蘇生術において実行される心臓マッサージでは、約４〜５ｃｍの圧迫変位が適当であるとされており、これが至適に行われているか否かを判断し、救助者等に報知する装置が知られている。幾つかの装置においては、力、変位、速度、加速度の各センサから得られる信号の１つ或いは１つ以上の組み合わせを用いる。例えば、加速度の２階積分により圧迫変位を求め、力との関係により圧迫変位に重畳するコモンモードノイズの影響を除去する技術が知られている（特許文献１参照）。
【０００３】
また、力と変位から剛性関数を求めて、その非直線性により圧迫変位が妥当であるか否かを判断する技術も知られている（特許文献２参照）。この技術においては、剛性関数を正確に求めるために、予め速度に比例する減衰力成分（粘性成分）を減算するものである。
【０００４】
一方、実行される心臓マッサージの際における圧迫対象となる胸郭は、粘弾性特性を有していることが知られている（Bankman et al IEEE TRANSACTIONS ON BIOMEDICAL ENGINEERING, VOL. 37, NO.2, FEBRUARY 1990, P211-217)。ここに、粘性は圧迫による胸郭内臓器の移動に起因するものであり、妥当な圧迫が行われている場合には、弾性に加えて粘性が生じるものである。
【０００５】
しかしながら、上記特許文献１に開示の技術においては、変位と力の関係において適切な心臓マッサージ手技が行われているか否かの判断に当たって、圧迫対象である胸部の粘性は考慮されていない。また、上記特許文献２の技術では、粘性成分を減算することから、心臓マッサージ手技が行われているか否かの判断の際に胸部粘性は考慮されない。
【先行技術文献】
【特許文献】
【０００６】
【特許文献１】特開２０１０−５０９０１４号公報
【特許文献２】欧州特許出願公開第ＥＰ１９７７４６９Ａ１号明細書
【発明の概要】
【発明が解決しようとする課題】
【０００７】
上記の通り、圧迫対象となる胸郭が粘弾性特性を有していることから、これを考慮に入れない判定は不正確とならざるを得ない。例えば、柔らかいベッド上や振動する車内において心肺蘇生のために心臓マッサージを施した場合には、変位と力の関係について妥当性の判断ができない虞がある。
【０００８】
本発明は、心肺蘇生術を実行する際などにおける、心臓マッサージ手技に関する上記のようなモニタ技術の現状に鑑みてなされたもので、その目的は、救助者等が最適な心臓マッサージ手技を行うことが可能なようにモニタリングできる心肺蘇生術用モニタリング装置を提供することである。
【課題を解決するための手段】
【０００９】
本発明に係る心肺蘇生術用モニタリング装置は、生体における胸部圧迫時の力と変位と速度の各情報を取得する情報取得手段と、前記情報取得手段により取得された力と変位と速度の各情報に基づき、剛性係数と粘性係数を含む胸部の粘弾性情報を算出する算出手段と、前記算出手段により算出された粘弾性情報を用いて心肺蘇生術に関する評価を行う評価手段と、前記評価手段による評価を示す出力を行う出力手段とを具備することを特徴とする。
【００１０】
本発明に係る心肺蘇生術用モニタリング装置では、算出手段は、粘弾性情報を次の（式１）に示すVoigt （フォークト）モデルを用いて算出することを特徴とする。
ｆ＝Ｋｘ＋Ｂｘ´＋ｅ・・・（式１）
但し、ｆ：力、ｘ：変位、ｘ´：速度、Ｋ：剛性係数、Ｂ：粘性係数、ｅ：外乱
【００１１】
本発明に係る心肺蘇生術用モニタリング装置では、算出手段は、ＫとＢを回帰計算により求めることを特徴とする。
【００１２】
本発明に係る心肺蘇生術用モニタリング装置では、情報取得手段は力センサと加速度センサを具備し、力センサにより力の情報を取得し、加速度センサにより得られた加速度を１階積分して速度の情報を取得し、前記加速度を２階積分して変位の情報を求めることを特徴とする。
【００１３】
本発明に係る心肺蘇生術用モニタリング装置では、情報取得手段は力センサと速度センサを具備し、力センサにより力の情報を取得し、速度センサにより速度の情報を取得し、前記速度を１階積分して変位の情報を求めることを特徴とする。
【００１４】
本発明に係る心肺蘇生術用モニタリング装置では、情報取得手段は力センサと変位センサを具備し、力センサにより力の情報を取得し、変位センサにより変位の情報を取得し、前記変位を１階微分して速度の情報を求めることを特徴とする。
【００１５】
本発明に係る心肺蘇生術用モニタリング装置では、算出手段は、粘弾性情報として、剛性係数Ｋ、粘性係数Ｂ、時定数Ｂ／Ｋ、外乱ｅを算出し、評価手段は、算出手段により算出された剛性係数Ｋ、粘性係数Ｂ、時定数Ｂ／Ｋ、外乱ｅの少なくとも１つを用いて心肺蘇生術の適否を評価することを特徴とする。
【００１６】
本発明に係る心肺蘇生術用モニタリング装置では、算出手段は、加速度の積分により変位あるいは速度を求める際に、外乱e が最小になるよう加速度センサにより得られる信号のオフセットを補正し、加速度センサにより得られる信号に含まれる不要なオフセットの積分によるドリフトを除去することを特徴とする。
【００１７】
本発明に係る心肺蘇生術用モニタリング装置は、オフセットを補正する際に、力が極大あるいは極小となる近傍のデータを用いることにより、力と変位の相関が最大となり、外乱e が最小になるように処理することを特徴とする。
【００１８】
本発明に係る心肺蘇生術用モニタリング装置は、剛性係数Ｋ、粘性係数Ｂ、時定数Ｂ／Ｋの少なくとも一つが所定の判定基準を超えていたときに、力のみにより心肺蘇生術の適否を評価することを特徴とする。
【発明の効果】
【００１９】
本発明に係る心肺蘇生術用モニタリング装置によれば、力と変位と速度の各情報に基づき、胸部の粘弾性情報を算出し、算出された粘弾性情報を用いて心肺蘇生術に関する評価を行うので、圧迫対象となる胸郭が粘弾性特性を有していることが考慮された適切な評価となり、救助者等による心臓マッサージ手技が適正に行われるように導くことが可能である。
【００２０】
本発明に係る心肺蘇生術用モニタリング装置によれば、ＫとＢを回帰計算により求めるので、車の振動など圧迫に相関のない外乱ｅの影響を排除することができ、Ｋ、Ｂを求めることが可能である。更にｅの大きさから、測定信頼性を通知することも可能である。
【００２１】
本発明に係る心肺蘇生術用モニタリング装置によれば、粘弾性情報として、粘性係数Ｂと時定数Ｂ／Ｋの少なくとも１つを算出するので、柔らかいベッド上で心臓マッサージを行った場合に算出される剛性係数Ｋ、粘性係数Ｂ、時定数Ｂ／Ｋが、生体の剛性係数Ｋ、粘性係数Ｂ、時定数Ｂ／Ｋと大きく異なることを利用し、柔らかいベッド上で心臓マッサージであることを検出し、更に誤った変位を救助者等に伝えなくするなど必要な報知を行うことができる。
【００２２】
本発明に係る心肺蘇生術用モニタリング装置によれば、ｅを最小化するように、加速度信号にオフセットノイズ補正を加えることにより、ドリフトを抑制することが可能となる。加速度を積分し速度と変位を求める場合に適切な値を算出することができる。
【００２３】
本発明に係る心肺蘇生術用モニタリング装置によれば、剛性係数Ｋ、粘性係数Ｂ、時定数Ｂ／Ｋの少なくとも一つが所定の判定基準を超えていたときに、力のみにより心肺蘇生術の適否を評価することにより、柔らかいベッドの上で心臓マッサージを行った場合にも、心肺蘇生術の効果を適切に評価することができる。
【図面の簡単な説明】
【００２４】
【図１】本発明に係る心肺蘇生術用モニタリング装置の実施形態を示すブロック図。
【図２】本発明に係る心肺蘇生術用モニタリング装置の実施形態の要部構成の第一の例を示すブロック図。
【図３】本発明に係る心肺蘇生術用モニタリング装置の実施形態の要部構成の第二の例を示すブロック図。
【図４】本発明に係る心肺蘇生術用モニタリング装置の実施形態の要部構成の第三の例を示すブロック図。
【図５】本発明に係る心肺蘇生術用モニタリング装置の実施形態の加速度センサにより得られる信号のオフセットを補正する構成例を示すブロック図。
【図６】本発明に係る心肺蘇生術用モニタリング装置の実施形態の動作を示すフローチャート。
【発明を実施するための形態】
【００２５】
以下添付図面を参照して、本発明に係る心肺蘇生術用モニタリング装置の実施形態を説明する。各図において同一の構成要素には、同一の符号を付して重複する説明を省略する。実施形態に係る心肺蘇生術用モニタリング装置は、図１に示すように構成することができる。この心肺蘇生術用モニタリング装置は、情報取得手段１０、算出手段である粘弾性推定処理モジュール２０、評価手段であるＣＰＲ（心肺蘇生術）適否判定モジュール３０及び出力手段の一例である表示装置４０を備えている。表示装置４０は、ＬＥＤなどのディスプレイにより文字を表示するものの他、単に光点灯などによりメッセージを出力するもの、音声によりメッセージを出力するもの、或いはこれらの必要な組み合わせによりメッセージを出力するものであり、評価手段であるＣＰＲ適否判定モジュール３０による評価を示す出力を行うものであればよい。
【００２６】
情報取得手段１０は、生体における例えば胸部圧迫位置に配置されて胸部圧迫時の力と変位と速度の各情報を取得するものであり、例えば図２〜図４のいずれかの構成により実現することができる。まず、図２の構成では、生体の胸部圧迫時に胸部に加わる力を検出する力センサ１１と、加速度を検出する加速度センサ１２と、１階積分回路１３と、２階積分回路１４とを備える。力センサ１１は、検出した力の信号を出力する。加速度センサ１２は加速度信号を出力し、１階積分回路１３は加速度の１階積分を行って速度信号を出力し、２階積分回路１４は加速度の２階積分を行って変位信号を出力する。
【００２７】
図３に示す構成では、力センサ１１と、速度を検出する速度センサ１５と、１階積分回路１６とを備える。速度センサ１５は速度信号を出力し、１階積分回路１６は速度の１階積分を行って変位信号を出力する。
【００２８】
図４に示す構成では、力センサ１１と、変位を検出する変位センサ１７と、１階微分回路１８とを備える。変位センサ１７は変位信号を出力し、１階微分回路１８は変位の１階微分を行って速度信号を出力する。いずれの構成においても、情報取得手段１０から粘弾性推定処理モジュール２０への送出の際には、ディジタル情報とされ、コンピュータである粘弾性推定処理モジュール２０による処理が可能な形態に変更することができる。
【００２９】
算出手段である粘弾性推定処理モジュール２０は、情報取得手段１０により取得された力と変位と速度の各情報に基づき、胸部の粘弾性情報を算出するものであり、例えば、コンピュータによって構成することができる。具体的には、粘弾性推定処理モジュール２０は、粘弾性情報を次の（式１）に示すVoigt （フォークト）モデルを用いて算出する。
ｆ＝Ｋｘ＋Ｂｘ´＋ｅ・・・（式１）
但し、ｆ：力、ｘ：変位、ｘ´：速度、Ｋ：剛性係数、Ｂ：粘性係数、ｅ：外乱
【００３０】
粘弾性推定処理モジュール２０は、回帰計算モジュール２１を備えており、剛性係数Ｋ、粘性係数Ｂ、時定数Ｂ／Ｋ及び外乱ｅを回帰計算により求める。例えば、力ｆに対して変位ｘと速度ｘ´の重回帰計算を行い、最適な剛性係数Ｋと粘性係数Ｂを求める。求めた剛性係数Ｋと粘性係数Ｂにより推定した力と、実測した力ｆとの差を外乱ｅとして算出する。  
【００３１】
上記図２の構成を採用した場合には、加速度信号の１階積分により速度信号を求め、加速度信号の２階積分により変位信号を求めることになる。この場合において、加速度信号に含まれる不要なオフセットノイズも積分され、ドリフトが生じる。加速度信号のオフセットを積分した際のドリフトを抑制するために、加速度の積分開始タイミングを力センサの出力により決定する技術が知られている（欧州特許第ＥＰ１０５７４５１Ｂ１号明細書）。しかしながら、加速度の積分開始タイミングを力センサの出力により決定しても、一回の圧迫中にドリフトが生じてしまうことを解決することはできない。
【００３２】
本実施形態では、ドリフトは外乱ｅとして現れるので、この外乱ｅが最小となるように、加速度センサ１２の出力に補正を行う。この補正手段の構成を図５に示す。加速度センサ１２の出力側に加算回路（加算手段）６１を設け、この加算回路６１の出力を１階積分回路１３及び２階積分回路１４へ与える。補正値生成回路６２を設け、補正値生成回路６２によって粘弾性推定処理モジュール２０から外乱ｅを取り込み、外乱ｅが最小となるように補正値を生成して加算回路６１へ与える。補正値生成回路６２は、補正値を変更（大小）して外乱ｅが最小となると補正値を保持する。この処理は、加速度センサ１２の１サンプリング毎に行うようにすることができる。
【００３３】
ところで、胸部圧迫時において、力が極大或いは極小となる近傍においては速度が小さくなるため、粘性項であるＢｘ´の影響は小さい。粘性を無視した場合に、（式１）は次の（式２）となる。
ｆ＝Ｋｘ＋ｅ・・・（式２）
【００３４】
力が極大或いは極小となる近傍における測定信号を用い、力ｆと変位ｘの相関が最大となるときには、外乱ｅが最小になることが分かる。これにより、上記図５に示した構成による処理を行う場合には、力が極大或いは極小となる近傍における測定信号を用い、補正値生成回路６２は、補正値を変更（大小）して外乱ｅが最小となると補正値を保持するように動作することができる。これによって、粘性を考慮した上で精度向上を容易に実現できる。
【００３５】
上記のようにしては、粘弾性推定処理モジュール２０は、粘弾性情報として、粘性係数Ｂと時定数Ｂ／Ｋの少なくとも１つを算出し、評価手段であるＣＰＲ適否判定モジュール３０は、粘弾性推定処理モジュール２０により算出された上記粘弾性情報を用いると共に、剛性係数Ｋと外乱ｅの少なくとも１つを必要により用いて心肺蘇生術の適否を評価する。
【００３６】
ＣＰＲ適否判定モジュール３０は、剛性係数Ｋ、粘性係数Ｂ、時定数Ｂ／Ｋに関し、生体から得られる範囲を規定する上限閾値及び下限閾値を有し、また、外乱ｅに関し上限閾値を有している。更に、ＣＰＲ適否判定モジュール３０は、心肺蘇生術において実行される心臓マッサージにおいて、圧迫の際の変位が適当であるとされる変位ｘの上限閾値と下限閾値を有している。
【００３７】
ＣＰＲ適否判定モジュール３０は、図６に示されるフローチャートに対応するプログラム基づき動作するので、このフローチャートを参照して動作説明を行う。ＣＰＲ適否判定モジュール３０は、剛性係数Ｋ、粘性係数Ｂ、時定数Ｂ／Ｋ及び外乱ｅを粘弾性推定処理モジュール２０から受け取り（Ｓ１１）、外乱ｅに関しその上限閾値と比較を行って（Ｓ１２）、ＣＰＲ適否判定のための当該測定が信頼できる範囲内において行われているかを判定する（Ｓ１３）。この判定の結果、ＮＯへ分岐すると「測定信頼性が低く、変位計測不可能」と判定し、これに対応するメッセージの表示情報を表示装置４０へ送出する（Ｓ１４）。
【００３８】
一方、ステップＳ１３においてＹＥＳへ分岐した場合には、剛性係数Ｋ、粘性係数Ｂ、時定数Ｂ／Ｋに関し、生体から得られる範囲を規定する上限閾値及び下限閾値と比較し（Ｓ１５）、この上限閾値及び下限閾値の範囲に入っているかを判定する（Ｓ１６）。この判定の結果、ＮＯへ分岐すると「測定環境不適当により、変位計測不能」と判定し、これに対応するメッセージの表示情報を表示装置４０へ送出する（Ｓ１７）。
【００３９】
また、ステップＳ１６においてＹＥＳへ分岐した場合には、変位ｘに関し、その上限閾値と下限閾値と比較し（Ｓ１８）、変位ｘが適当な範囲に入っているか否かを判定する（Ｓ１９）。判定の結果、ＮＯへ分岐した場合には、「心臓マッサージに改善の余地あり」と判定し、これに対応するメッセージの表示情報を表示装置４０へ送出する（Ｓ２０）。
【００４０】
一方、上記ステップＳ１９においてＹＥＳへ分岐すると、「現在の心臓マッサージが適当である」と判定し、これに対応するメッセージの表示情報を表示装置４０へ送出する（Ｓ２１）。
【００４１】
以上のようにして、本実施形態では、例えば柔らかいベッドの上での心臓マッサージ実施時にあっては、剛性係数Ｋと粘性係数Ｂおよび時定数Ｂ／Ｋが本来の生体における剛性係数Ｋと粘性係数Ｂおよび時定数Ｂ／Ｋとは大きく異なることを利用し、柔らかいベッド上での心臓マッサージであることを自動的に検出することが可能である。従って、心臓マッサージに不向きなベッド上での心臓マッサージであることが検出された場合には、変位計測を抑制し、誤った情報を救助者に与えることを防ぐことができる。上記実施形態では「測定環境不適当」と表現したが、より具体的に、ベッドを変えるなどの示唆を行うようにしても良い。
更に、ベッド上での心臓マッサージであることを検出した場合には、変位に関する情報を用いず力のみによる適否判断を行うことも可能である。
【００４２】
また、外乱ｅの大きさから、測定信頼性を通知することも可能となる。さらに、振動など圧迫に相関のない外乱ｅの影響を受けることなく、Ｋ、Ｂを求めることが可能であり、より正確指示を救助者等に与えることができる。
【符号の説明】
【００４３】
１０  情報取得手段                    １１  力センサ
１２  加速度センサ                    １３  ２階積分回路
１４  １階積分回路                    １５  速度センサ
１６  １階積分回路                    １７  変位センサ
１８  １階微分回路                    ２０  粘弾性推定処理モジュール
２１  回帰計算モジュール              ３０  適否判定モジュール
４０  表示装置                        ６１  加算回路
６２  補正値生成回路
【図１】
0005658055.tif 000002
【図２】
0005658055.tif 000003
【図３】
0005658055.tif 000004
【図４】
0005658055.tif 000005
【図５】
0005658055.tif 000006
【図６】
0005658055.tif 000007